(57)【要約】【課題】簡単な構成で、床面洗浄機のスクイージーによる洗浄水の吸い残しや洗浄水のすじをなくし、人手による洗浄水の吸い残しや洗浄水のすじを拭き上げる作業をなくすことができる床面洗浄機およびそれに用いる拭き取りモップを提供する。【解決手段】洗浄汚水を吸引するためのスクイージー２を有する床面洗浄機１１であって、スクイージーの進行方向後側に、スクイージーにより吸引できなかった洗浄汚水をさらに吸収する、水分吸収性および保水性を有するマイクロファイバーから構成された拭き取りモップ３を設ける。【選択図】図１
0003182389.tif 000002
【実用新案登録請求の範囲】
【請求項１】
洗浄汚水を吸引するためのスクイージーを有する床面洗浄機であって、前記スクイージーの進行方向後側に、前記スクイージーにより吸引できなかった洗浄汚水をさらに吸収する、水分吸収性および保水性を有するマイクロファイバーから構成された拭き取りモップを設けたことを特徴とする床面洗浄機。
【請求項２】
前記拭き取りモップが前記スクイージーに着脱自在の装着されていることを特徴とする請求項１に記載の床面洗浄機。
【請求項３】
前記拭き取りモップの長手方向に複数設けたリング取付部にループ状のリングワイヤを取り付け、前記リング状取付部に対応して前記スクイージーに設けた複数の突出部に前記ループ状のリングワイヤを装着することにより、前記拭き取りモップの前記スクイージーに対する着脱自在の装着を行うことを特徴とする請求項２に記載の床面洗浄機。
【請求項４】
請求項１〜３のいずれか１項に記載の床面洗浄機に用いる拭き取りモップであって、芯材と、前記芯材の少なくとも下面を覆うマイクロファイバーから構成された拭き取り部と、からなることを特徴とする拭き取りモップ。
【請求項５】
前記拭き取り部が前記芯材を取り外し自在に覆うことを特徴とする請求項４に記載の拭き取りモップ。
【請求項６】
前記拭き取り部が前記芯材の上下両面を覆うことを特徴とする請求項４または５に記載の拭き取りモップ。
【考案の詳細な説明】
【技術分野】
【０００１】
本考案は、床面洗浄後の洗浄水を吸引するためのスクイージーを有する床面洗浄機およびそれに用いる拭き取りモップに関するものである。
【背景技術】
【０００２】
従来、床面を洗浄する床面洗浄機として、床面の洗浄水を洗浄ブラシ等を回転させて床面を洗浄し、洗浄後の汚水をスクイージーにより吸引して除去する床面洗浄機が知られている（例えば、特許文献１参照）。
【０００３】
図５は従来の床面洗浄機の一例の構成を示す図である。図５に示す例において、床面の洗浄水を洗浄ブラシ等を回転させて床面を洗浄する床面洗浄機本体５１と、床面洗浄機本体５１の進行方向後側に設けられ、床面洗浄機５１の後側の面における進行方向と直角方向の幅（この幅が洗浄領域となる）以上の長手方向の幅を有する、床面洗浄機本体５１での床面洗浄後の洗浄水を吸引して除去するスクイージー５２とから、床面洗浄機６１が構成されている。上述した構成の床面洗浄機６１は、図５中矢印方向に床面上を自動または手動で移動することで、床面の洗浄を行うことができる。
【先行技術文献】
【特許文献】
【０００４】
【特許文献１】特開２０１０−１９４２０４号公報
【考案の概要】
【考案が解決しようとする課題】
【０００５】
上述した構成の床面洗浄機では、平らな目地等の段差のない床面であれば洗浄後の洗浄水をスクイージーで完全に除去することができる。しかしながら、目地等の段差のある床面では、段差の部分で床面洗浄後の洗浄水をスクイージーでは完全に除去することができず、洗浄後の床面に床面洗浄機の吸い残し汚水が残ってしまう問題があった。また、スクイージーに髪の毛やほこりが付くと水のすじが残る問題があった。このように床面洗浄機の吸い残し汚水や洗浄水のすじが床面に残ってしまうと、残った洗浄水で転倒事故等が発生するため、床面洗浄後の吸い残し汚水や洗浄水のすじを人手で拭き上げる必要があり、洗浄作業を効率的に行うことができなかった。
【０００６】
本考案の目的は上述した問題点を解消して、簡単な構成で、床面洗浄機のスクイージーによる洗浄水の吸い残しや洗浄水のすじをなくし、人手による洗浄水の吸い残しや洗浄水のすじを拭き上げる作業をなくすことができる床面洗浄機およびそれに用いる拭き取りモップを提供しようとするものである。
【課題を解決するための手段】
【０００７】
本考案の床面洗浄機は、洗浄汚水を吸引するためのスクイージーを有する床面洗浄機であって、前記スクイージーの進行方向後側に、前記スクイージーにより吸引できなかった洗浄汚水をさらに吸収する、水分吸収性および保水性を有するマイクロファイバーから構成された拭き取りモップを設けたことを特徴とするものである。
【０００８】
本考案の床面洗浄機の好適例としては、前記拭き取りモップが前記スクイージーに着脱自在の装着されていること、前記拭き取りモップの長手方向に複数設けたリング取付部にループ状のリングワイヤを取り付け、前記リング状取付部に対応して前記スクイージーに設けた複数の突出部に前記ループ状のリングワイヤを装着することにより、前記拭き取りモップの前記スクイージーに対する着脱自在の装着を行うこと、がある。
【０００９】
また、本考案の床面洗浄機に用いる拭き取りモップは、上述した構成の床面洗浄機に用いる拭き取りモップであって、芯材と、前記芯材を覆うマイクロファイバーから構成された拭き取り部と、からなることを特徴とするものである。
【００１０】
本考案の床面洗浄機に用いる拭き取りモップの好適例としては、前記拭き取り部が前記芯材を取り外し自在に覆うことがある。
【考案の効果】
【００１１】
本考案によれば、スクイージーの進行方向後側に、前記スクイージーにより吸引できなかった洗浄汚水をさらに吸収する、水分吸収性および保水性を有するマイクロファイバーから構成された拭き取りモップを設けたことことにより、簡単な構成で、床面洗浄機のスクイージーによる洗浄水の吸い残しや洗浄水のすじをなくし、人手による洗浄水の吸い残しや洗浄水のすじを拭き上げる作業をなくすことができる床面洗浄機およびそれに用いる拭き取りモップを得ることができる。
【図面の簡単な説明】
【００１２】
【図１】本考案の床面洗浄機の一例の構成を示す図である。
【図２】（ａ）、（ｂ）はそれぞれ本考案の床面洗浄機に用いる拭き取りモップの芯材の一例を説明するための平面図および側面図である。
【図３】（ａ）、（ｂ）はそれぞれ本考案の床面洗浄機に用いる拭き取りモップの拭き取り部の一例を説明するための平面図および側面図である。
【図４】（ａ）、（ｂ）はそれぞれ本考案の床面洗浄機に用いる拭き取りモップの一例を説明するための平面図および側面図である。
【図５】従来の床面洗浄機の一例の構成を示す図である。
【考案を実施するための形態】
【００１３】
以下、本考案の床面洗浄機およびそれに用いる拭き取りパットの一例を図面を参照して説明する。
【００１４】
＜床面洗浄機の構成について＞
まず、本考案の床面洗浄機の構成について図１を参照して説明する。図１は本考案の床面洗浄機の一例の構成を示す図である。図１に示す例において、床面の洗浄水を洗浄ブラシ等を回転させて床面を洗浄する床面洗浄機本体１と、床面洗浄機本体１の進行方向後側に設けられ、床面洗浄機１の後側の面における進行方向と直角方向の幅（この幅が洗浄領域となる）以上の長手方向の幅を有する、床面洗浄機本体１での床面洗浄後の洗浄水を吸引して除去するスクイージー２と、スクイージー２の進行方向後側に設けられた、スクイージー２により吸引できなかった洗浄汚水をさらに吸収する拭き取りモップ３とから、床面洗浄機１１が構成されている。
【００１５】
図１に示す例において、拭き取りモップ３は、その表面が水分吸収性および保水性を有するマイクロファイバーから構成されている。マイクロファイバーはモール加工されていることが好ましい。また、拭き取りモップ３は、拭き取りモップ３の長手方向に複数（ここでは中央部と両端部に３箇所）設けたリング状のリングワイヤ４−１、４−２および４−３を、リングワイヤ４−１〜４−３のそれぞれに対応してスクイージー２に設けた複数の突出部５（ここでは、スクイージー２の両端の突起５−１、５−３およびスクイージー２の中央部に設けられた吸引ダクト６の根元部５−２）に装着している。そのため、リングワイヤ４−１〜４−３を対応する突出部５−１〜５−３に係合／離脱することによって、拭き取りモップ３のスクイージー２に対する着脱自在の装着を行っている。
【００１６】
床面洗浄機本体１およびスクイージー２の構成については従来から公知の床面洗浄機本体およびスクイージーの構成を用いることができる。具体的には、従来から公知のアマノ（株）のＳＥ−４３０等を用いることができる。ここでは、それらの構成の詳細な説明は省略する。本考案の特徴となる拭き取りモップ３については、後ほど詳細にその説明を行う。本考案の床面洗浄機１１は、図１中矢印方向に床面を自動または手動で移動することで、床面の洗浄を行うことができる。
【００１７】
上述した構成の本考案の床面洗浄機１１によれば、スクイージー２の進行方向後側に拭き取りモップ３を設けたため、スクイージー２の吸い残し汚水や洗浄水のすじを、拭き取りモップ３で吸収除去することができ、簡単な構成で、床面洗浄機１１のスクイージー２による洗浄水の吸い残しや洗浄水のすじをなくし、人手による洗浄水の吸い残しや洗浄水のすじを拭き上げる作業をなくすことができる。また、拭き取りモップ３のリングワイヤ４−１〜４−３をスクイージー２の突出部５−１〜５−３に係合／離脱するだけで、拭き取りモップ３をスクイージー２に簡単に装着することができる。
【００１８】
＜床面洗浄機に用いる拭き取りモップの構成について＞
次に、本考案の床面洗浄機に用いる拭き取りモップ３は、芯材２１と、芯材２１を覆う拭き取り部３１とからの構成されており、それらの構成について図２（ａ）、（ｂ）、図３（ａ）、（ｂ）および図４（ａ）、（ｂ）を参照して説明する。
【００１９】
図２（ａ）、（ｂ）はそれぞれ本考案の床面洗浄機に用いる拭き取りモップの芯材の一例を説明するための平面図および側面図である。図２（ａ）、（ｂ）に示す例において、芯材２１は、ある程度の可撓性と剛性とを有し、自重で周囲に設けられる拭き取り部３１（ここでは図示せず）が床面と隙間なく接する程度の重さを有する、ゴム、樹脂等の材料から構成されている。芯材２１の長手方向の一方の端部には、芯材２１の上下面にそれぞれ面ファスナー２２−１、２２−２が設けられている。芯材２１の長手方向の他方の端部には、その長手方向の端部の両端部および中央部に３箇所のリング取付部２３−１、２３−２および２３−３を設け、それぞれのリング取付部２３−１〜２３−３にループ状のリングワイヤ４−１、４−２および４−３を取り付けている。
【００２０】
図３（ａ）、（ｂ）はそれぞれ本考案の床面洗浄機に用いる拭き取りモップの拭き取り部の一例を説明するための平面図および側面図である。図３（ａ）、（ｂ）に示す例において、拭き取り部３１は、従来から水分吸収性および保水性を有するとして知られているマイクロファイバーから構成されている。尚、図３（ａ）では記載が省略されているが、本例ではモール加工したマイクロファイバー（図３（ｂ）参照）が用いられている。本例において、拭き取り部３１は、中央（図中点線で示す）で折り畳んで芯材２１を挟み込むようにして芯材２１を覆うよう構成されている。そのため、拭き取り部３１の両端部にそれぞれ面ファスナー３２−１、３２−２を設け、芯材２１を挟むように覆った状態で、拭き取り部３１の面ファスナー３２−１、３２−２と芯材２１の面ファスナー２３−１、２３−２とを離脱可能に接合させることで、拭き取り部３１を芯材２１に強固に取り付けている。本例では、芯材２１の両面を拭き取り部３１で覆うよう構成されるため、拭き取り部３１の両面を洗浄水の吸収のために使用することができる。さらに、拭き取り部３１の中央の折り曲げ部（図中点線で示す）には、拭き取り部３１を芯材２１に取り付けた際、リングワイヤ４−１〜４−３を拭き取り部３１の外部に露出させるための開口部３３−１、３３−２および３３−３を形成している。
【００２１】
図４（ａ）、（ｂ）はそれぞれ本考案の床面洗浄機に用いる拭き取りモップの一例を説明するための平面図および側面図である。図４（ａ）、（ｂ）に示す例において、拭き取りモップ３は、図２（ａ）、（ｂ）に示す構成の芯材２１を挟むようにして、図３（ａ）、（ｂ）に示す構成の拭き取り部３１を折り曲げて、芯材２１の面ファスナー２２−１、２２−２と拭き取り部３１の面ファスナー３１−１、３１−２とを固定させて構成されている。
【００２２】
上述した構成の本考案の床面洗浄機に用いる拭き取りモップ３によれば、芯材２１と、芯材２１を覆うマイクロファイバーからなる拭き取り部３１とから構成されることで、スクイージー２の吸い残し洗浄水や洗浄水のすじを好適に吸収することができる。また、芯材２１の両面を覆うように拭き取り部３１を形成したため、拭き取りモップ３の両面で洗浄水の吸収を行うことができる。尚、本例は芯材２１の上下両面を拭き取りモップ３で覆うように構成したが、下側片面のみに拭き取りモップを設けるようにしてもよい。
【産業上の利用可能性】
【００２３】
本考案の床面洗浄機およびそれに用いる拭き取りモップは、簡単な構成で、床面洗浄機のスクイージーによる洗浄水の吸い残しや洗浄水のすじをなくし、人手による洗浄水の吸い残しや洗浄水のすじを拭き上げる作業をなくすことができる床面洗浄機およびそれに用いる拭き取りモップを得ることができ、それにより床面洗浄の効率化を図ることができる。
【符号の説明】
【００２４】
１  床面洗浄機本体
２  スクイージー
３  拭き取りモップ
４−１、４−２、４−３  リングワイヤ
５、５−１〜５−３  突出部
６  吸引ダクト
１１  床面洗浄機
２１  芯材
２２−１、２２−２  面ファスナー
２３−１〜２３−３  リング取付部
３１  拭き取り部
３２−１、３２−２  面ファスナー
３３−１〜３３−３  開口部
【図１】
0003182389.tif 000003
【図２】
0003182389.tif 000004
【図３】
0003182389.tif 000005
【図４】
0003182389.tif 000006
【図５】
0003182389.tif 000007